(57)【要約】 【課題】  本発明は、袋が多数枚でも重ねやすいごみ袋及びごみ袋をごみ箱に装着するのを容易にするごみ袋の収納方法を提供することを目的とするものである。【解決手段】  本発明は、内部が中空で開口部を開くことができる下側が細い台形状又は逆三角形状の袋本体を、複数枚重ね合わせ、上部の折り目から外方に折り返したごみ箱に装着可能なごみ袋、及び前記ごみ袋を、複数枚重ねたまま折り畳み、開口部を上にしてケースに収納することを特徴とするごみ袋収納方法の構成とした。【選択図】  図４
2006206289.tif 000002
【特許請求の範囲】
【請求項１】
内部が中空で開口部を開くことができる下側が細い台形状の袋本体を、複数枚重ね合わせ、前記袋本体の上部の折り目から外方に折り返しごみ箱に装着することができるようにしたことを特徴とするごみ袋。
【請求項２】
台形状の袋本体を、逆三角形状の袋本体としたことを特徴とする請求項１に記載のごみ袋  。
【請求項３】
請求項１に記載のごみ袋を、複数枚重ねたまま折り畳み、開口部を上にしてケースに収納することを特徴とするごみ袋の収納方法。
【発明の詳細な説明】
【技術分野】
【０００１】
本発明は、袋が多数枚でも重ねやすいごみ袋及びごみ袋をごみ箱に装着するのを容易にするごみ袋の収納方法に関する。
【背景技術】
【０００２】
従来から、ごみ箱に直接ごみを投棄するとごみ箱が汚れたり、ごみを移し替えるのが面倒である等の理由から、ごみ箱にビニール袋等を取り付けて使用することがある。ビニール袋等の中に投棄したごみは、ビニール袋ごと廃棄することができ、また別のビニール袋を付け替えれば良いので便利である。
【０００３】
特許文献１に記載されているように、ごみ箱の大きさに適合するビニール袋等を探すことなく、投棄したごみを一塊の状態で処分でき、しかも処分した後、毎回新しいビニール袋をごみ箱内に収容する必要のないごみ袋付ごみ箱という発明も公開されている。
【特許文献１】特開平１１−０４９３０２号公報
【発明の開示】
【発明が解決しようとする課題】
【０００４】
しかしながら、特許文献１に記載の発明の場合、ビニール袋の形状が略四角柱であるため、同一サイズのビニール袋を多数枚重ねることは困難であり、また、ビニール袋をごみ箱に被せる際も同様に付けづらい。
【０００５】
そこで、本発明は、袋が多数枚でも重ねやすいごみ袋及びごみ袋をごみ箱に装着するのを容易にするごみ袋の収納方法を提供することを目的とするものである。
【課題を解決するための手段】
【０００６】
本発明は、上記の課題を解決するために、内部が中空で開口部２ｂを開くことができる下側が細い台形状又は逆三角形状の袋本体２ａを、複数枚重ね合わせ、上部の折り目２ｄから外方に折り返したごみ箱４に装着可能なごみ袋２、及び前記ごみ袋２を、複数枚重ねたまま折り畳み、開口部２ｂを上にしてケース３に収納することを特徴とするごみ袋収納方法１の構成とした。
【発明の効果】
【０００７】
本発明は、以上の構成であるから以下の効果が得られる。第１に、ごみ袋の袋本体一枚一枚の形状が下側が細い台形状又は逆三角形状であるので、同じサイズの袋本体でも若干上にずらすことで多数枚重ねることが容易であり、また、先が細いためごみ箱にも装着しやすい。
【０００８】
第２に、袋本体を多数枚重ねるので、ごみを処分する際は一番内側の袋本体のみを引き剥がして取り出せば良いので、何度も付け替える手間が省ける。尚、袋本体の開口部は、外方に折り返されているので一番内側の袋本体を剥がしやすい。
【０００９】
第３に、袋本体を多数枚重ねた状態でごみ袋を折り畳んでケースに収納することができ、また、開口部を上にして収納するので、ケースから取り出して折畳みを伸ばせば簡単にゴミ箱に装着することができる。
【発明を実施するための最良の形態】
【００１０】
袋を重ねやすく、かつごみ箱に取り付けやすいごみ袋にするという目的を、袋の形状を台形状又は三角形状にすることでで実現した。
【実施例１】
【００１１】
以下に、添付図面に基づいて、本発明であるごみ袋及びその収納方法について詳細に説明する。図１は、本発明であるごみ袋及びその収納方法のごみ袋をケースに収納した状態を示す斜視図であり、図２は、本発明であるごみ袋及びその収納方法のケースの内部を正面から見た図であり、図３は、本発明であるごみ袋及びその収納方法のごみ袋を積み重ねるようにケースに収納した場合を示す図である。
【００１２】
ごみ袋収納方法１は、内部が中空で開口部２ｂを開くことができる下側が細い台形状又は逆三角形状の袋本体２ａを、複数枚重ね合わせ、上部の折り目２ｄから外方に折り返したごみ箱４に装着可能なごみ袋２を、複数枚重ねたまま折り畳み、開口部２ｂを上にしてケース３に収納することを特徴とする。
【００１３】
ごみ袋２は、ごみを中に入れる袋本体２ａの集まりである。袋本体２ａは、内部が中空のビニール袋などであり、袋底部２ｅは塞がっているが、開口部２ｂは開くことができ、ごみを投入することができる。
【００１４】
図１に示すように、ごみ袋２は、袋本体２ａを重ねた状態で折り畳み、開口部２ｂを上に向けてケース３に収納する。内部に空気が入らないようにして、ごみ袋２に折畳み２ｆを施せば、ケース３内にコンパクトに収納することができる。
【００１５】
ケース３は、ごみ袋２を収納する容器であり、箱、袋など形態や形状は限定されない。ケース３への収納方法は、ケース３に仕切り３ｂを設けて、収納領域を分けても良いし、一つの収納領域にごみ袋２を重ねて収納しても良い。
【００１６】
図２に示すように、横長のケース３に対して、一つの収納領域がごみ袋２のサイズとなるように縦の仕切り３ｂを設けて横方向に複数の収納領域を作り、各収納領域にごみ袋２を収納するようにすることもできる。
【００１７】
また、図３に示すように、縦長のケース３に対して、一つの収納領域にごみ袋２を積み重ねて収納することもできる。尚、横の仕切り３ｂを設けて縦方向に複数の収納領域を作り、ごみ袋２ごとに分けて収納することもできる。
【００１８】
更に、図２の場合と図３の場合を組み合わせて、縦及び横にそれぞれ仕切り３ｂを設けて横方向及び縦方向に複数の収納領域を作れば、より多くのごみ袋２を収納することができるようになる。
【００１９】
ごみ袋２をケース３の取出口３ａから取り出した際、折畳み２ｆを解放して下に垂らせば、そのままごみ箱４に取り付けることができる。ケース３から出してすぐに取付けの形状になるので、手間が掛からない。
【００２０】
図４は、本発明であるごみ袋及びその収納方法のごみ袋の袋を重ねた状態を示す斜視図である。ごみ袋２は、袋本体２ａの中に別の袋本体２ａを入れていくようにして数十枚重ねたものである。
【００２１】
袋本体２ａは全て同一に統一された形状であるため、袋本体２ａの中に次々入れていった際に完全に重なる訳ではなく、内側の袋本体２ａは徐々に開口部２ｂや袋底部２ｅが上方にずれていく。
【００２２】
ごみ袋２は、上端から若干下がった折り目２ｄの位置で外方に折り返す。折返し部２ｃは、重ねた袋本体２ａ全てをまとめて折り返すので、一番内側の袋本体２ａの折返し部２ｃが一番外側に出ることになる。
【００２３】
一番外側の袋本体２ａの外周及び袋底部２ｅがごみ箱４の内周に接する箇所であり、内側の袋本体２ａから使用していくため、一番外側の袋本体２ａが使用されるのは、一番最後となる。
【００２４】
ごみ５は、開口部２ｂから入れられ、一番内側の袋本体２ａの袋底部２ｅに溜まっていく。ごみがいっぱいになった時点で、一番内側の袋本体２ａごと取り出し、廃棄することができる。
【００２５】
一番内側の袋本体２ａを取り出しても、次に一番内側となる袋本体２ａに対して、ごみを捨てることができるため、交換の手間が省ける。一番外側の袋本体２ａを使い切るまで交換しなくて済む。
【００２６】
図５は、本発明であるごみ袋及びその収納方法の袋本体の折返し部を開いた状態を示す正面図であり、図６は、本発明であるごみ袋及びその収納方法の袋本体の折返し部に目印を付した状態を示す正面図である。
【００２７】
図５に示すように、袋本体２ａは、ごみ袋２を構成する袋一枚一枚であり、使用単位としては、袋本体２ａ一枚ずつである。
【００２８】
袋本体２ａは、下側が細い台形又は逆三角形などの形状をしたビニール等の合成樹脂又は紙などの袋であり、内部が中空で、開口部２ｂから内部に入れたごみ５を袋底部２ｅに溜め込むことができる。
【００２９】
袋本体２ａは複数重ねるため、各袋本体２ａ同士が静電気などでくっつき合わないような材質であることが好ましい。静電気などが生じると、袋本体２ａを引き剥がす際、又は開口部２ｂを開く際などに手間が掛かってしまう。
【００３０】
袋本体２ａの開口部２ｂは、開くことで形状を変えることが可能で、円柱状や多角柱状など様々な形状のごみ箱４に対応することができる。また、袋底部２ｅの方が細くなっているため、ごみ箱４に取り付けるのが容易である。
【００３１】
袋本体２ａは、折り目２ｄの位置で折り返して使用する。折り目２ｄは、袋本体２ａの上端から若干下がった位置であり、折り目２ｄより上側の折返し部２ｃをごみ箱４に掛けるようにして取り付ける。
【００３２】
また、折返し部２ｃがあることで、ごみ箱４からごみ袋２を取り出す際に、袋本体２ａをつまみやすくなり、折返し部２ｃを元に戻すことで内部に空間的な余裕が若干生じ、開口部２ｂを閉じやすくなる。
【００３３】
図６に示すように、折返し部２ｃに着色するなどして目印２ｊを付しておけば、折返し部２ｃを識別しやすくなる。特に、折返し部２ｃの先端が分かるようにしておくと、袋本体２ａをつまみ出すのが容易となる。
【００３４】
また、折返し部２ｃに枚数を示す文字を表記すれば、ごみ袋２の交換時期を把握することもできる。例えば、袋本体２ａを５０枚重ねたごみ袋２の場合に、１０枚毎に残り枚数を表記しておけば、枚数が少なくなったことがすぐに分かるようになる。
【００３５】
図７は、本発明であるごみ袋及びその収納方法の折返し部を折り返さずに袋本体を重ねていく状況を示す図であり、図８は、本発明であるごみ袋及びその収納方法の折返し部を折り返して袋本体を重ねていく状況を示す図であり、図９は、本発明であるごみ袋及びその収納方法のごみ袋をごみ箱に装着した状態を示す断面図である。
【００３６】
ごみ袋２は、袋本体２ａの開口部２ｂから内部へ、別の袋本体２ａの袋底部２ｅを、次々に入れていくことにより複数枚を重合せ２ｇする。尚、重合せ２ｇの枚数は、ごみ袋２のサイズや使用形態により変えることができるが、数十枚程度が好ましい。
【００３７】
袋本体２ａは、台形状又は逆三角形状の開口部２ｂよりも袋底部２ｅが細い形状をしているので、開口部２ｂに対して別の袋本体２ａの袋底部２ｅを入れやすく、かつ、しわを作らずに入れることができる。
【００３８】
袋本体２ａは、同一形状であるため、内部に入れながら重ねていくと、内側に行くほど上方に若干ずつずれていく。若干のずれがあるため内側の袋本体２ａを取り出す際に引き剥がしやすい。
【００３９】
図７に示すように、折返し部２ｃを折り返さずに、袋本体２ａを重合せ２ｇしていくこともできる。折返し部２ｃが折り返されていない状態でごみ袋２を提供した場合は、ごみ箱４に取り付ける際に折り目２ｄに沿って折り返す。
【００４０】
また、図８に示すように、折返し部２ｃを折り返して、袋本体２ａを重合せ２ｇしていくこともできる。折返し部２ｃが折り返された状態でごみ袋２を提供した場合は、そのままごみ箱４に取り付けることができる。
【００４１】
袋本体２ａを重合せ２ｇしていく際は、外側となる下側の袋本体２ａの折返し部２ｃに、内側となる上側の袋本体２ａの折返し部２ｃを掛けるようして重ねる。折返し部２ｃがあるため、内側の袋本体２ａが中で丸まってしまったりすることがない。
【００４２】
尚、折返し部２ｃについては、重ねる前に折り目２ｄの位置から外側に折り返しておいても良いし、重ねた後からでも良い。また、全て重ね終わってからまとめて折り返しても構わない。
【００４３】
図９に示すように、袋本体２ａを複数枚重ねた状態で、ごみ箱４に取り付けるが、ごみ袋２の袋底部２ｅは開口部２ｂよりも細くなっているため、袋本体２ａを重ねる場合と同様に、ごみ箱４の入口４ａにも入れやすい。
【００４４】
また、ごみ袋２の開口部２ｂには折返し部２ｃが存在するため、折り目２ｄの位置でごみ箱４の縁４ｂに掛けることができ、ごみ箱４の箱底４ｃにごみ袋２が落下するのを防ぐことができる。
【００４５】
ごみ５は、一番内側の袋本体２ａの袋底部２ｅに入り、ごみ箱４自体を汚さずに済む。袋本体２ａ内のごみ５がいっぱいになったら、一番内側の折返し部２ｃから袋本体２ａを剥がしていき、袋ごと取り除けば良い。
【００４６】
図１０は、本発明であるごみ袋及びその収納方法のごみ袋を装着したごみ箱を使用している状態を示す図であり、図１１は、本発明であるごみ袋及びその収納方法のごみ箱から袋を一枚取り出している状態を示す図である。
【００４７】
図１０に示すように、ごみ袋装着時１ｂは、ごみ箱４にごみ袋２を取り付けた状態であり、ごみ箱４の入口４ａが円状や多角形状など複雑な形状でなければ対応できる。ごみ袋２はごみ箱４の内部に収められ、ごみ箱４の入口４ａからは開口部２ｂが出る。
【００４８】
ごみ箱４の縁４ｂには、ごみ袋２の折返し部２ｃが掛けられ、ごみ箱４の入口４ａを完全に塞いでいるので、ごみ箱４自体にごみ５が入ることはなく、ごみ袋２の中に投棄５ａされる。
【００４９】
図１１に示すように、ごみ袋取出時１ｃは、ごみ箱４からごみ袋２の一番内側の一枚を取り除く状態である。ごみが溜まっている一番内側の袋本体２ａは、折返し部２ｃが一番上に来ており、折返し部２ｃをつまんで、簡単に引剥し２ｈすることができる。
【００５０】
折返し部２ｃの返りを元に戻して、開口部２ｂを閉じるようにしてまとめれば、そのまま一番内側の袋本体２ａを取出し２ｉすることができる。袋本体２ａを取り出した後は、ごみ袋２を交換しなくても、次の袋本体２ａにごみ５を投棄５ａすることができる。
【００５１】
尚、ごみ箱４の高さがごみ袋２よりも長いと、ごみ５の重みで落下するおそれがあるので、ごみ袋２の方を長くしておくことが好ましい。また、袋本体２ａを一枚取出し２ｉする際、下の袋本体２ａと静電気等が生じないようにすることが望ましい。
【００５２】
以上のように、本発明であるごみ袋及びその収納方法は、ごみ袋２の袋本体２ａ一枚一枚の形状が下側が細い台形状又は逆三角形状であるので、同じサイズの袋本体２ａでも若干上にずらすことで多数枚重ねることが容易であり、また、先が細いためごみ箱４にも装着しやすい。
【００５３】
袋本体２ａを多数枚重ねるので、ごみ５を処分する際は一番内側の袋本体２ａのみを引き剥がして取り出せば良いので、何度も付け替える手間が省ける。尚、袋本体２ａの開口部２ｂは、外方に折り返されているので一番内側の袋本体２ａを剥がしやすい。
【００５４】
袋本体２ａを多数枚重ねた状態でごみ袋２を折り畳んでケース３に収納することができ、また、開口部２ｂを上にして収納するので、ケース３から取り出して折畳み２ｆを伸ばせば簡単にゴミ箱４に装着することができる。
【図面の簡単な説明】
【００５５】
【図１】本発明であるごみ袋及びその収納方法のごみ袋をケースに収納した状態を示す斜視図である。
【図２】本発明であるごみ袋及びその収納方法のケースの内部を正面から見た図である。
【図３】本発明であるごみ袋及びその収納方法のごみ袋を積み重ねるようにケースに収納した場合を示す図である。
【図４】本発明であるごみ袋及びその収納方法のごみ袋の袋を重ねた状態を示す斜視図である。
【図５】本発明であるごみ袋及びその収納方法の袋本体の折返し部を開いた状態を示す正面図である。
【図６】本発明であるごみ袋及びその収納方法の袋本体の折返し部に目印を付した状態を示す正面図である。
【図７】本発明であるごみ袋及びその収納方法の折返し部を折り返さずに袋本体を重ねていく状況を示す図である。
【図８】本発明であるごみ袋及びその収納方法の折返し部を折り返して袋本体を重ねていく状況を示す図である。
【図９】本発明であるごみ袋及びその収納方法のごみ袋をごみ箱に装着した状態を示す断面図である。
【図１０】本発明であるごみ袋及びその収納方法のごみ袋を装着したごみ箱を使用している状態を示す図である。
【図１１】本発明であるごみ袋及びその収納方法のごみ箱から袋を一枚取り出している状態を示す図である。
【符号の説明】
【００５６】
１        ごみ袋収納方法
１ａ      ごみ袋収納方法
１ｂ      ごみ袋装着時
１ｃ      ごみ袋取出時
２        ごみ袋
２ａ      袋本体
２ｂ      開口部
２ｃ      折返し部
２ｄ      折り目
２ｅ      袋底部
２ｆ      折畳み
２ｇ      重合せ
２ｈ      引剥し
２ｉ      取出し
２ｊ      目印
３        ケース
３ａ      取出口
３ｂ      仕切り
４        ごみ箱
４ａ      入口
４ｂ      縁
４ｃ      箱底
５        ごみ
５ａ      投棄
【図１】
2006206289.tif 000003
【図２】
2006206289.tif 000004
【図３】
2006206289.tif 000005
【図４】
2006206289.tif 000006
【図５】
2006206289.tif 000007
【図６】
2006206289.tif 000008
【図７】
2006206289.tif 000009
【図８】
2006206289.tif 000010
【図９】
2006206289.tif 000011
【図１０】
2006206289.tif 000012
【図１１】
2006206289.tif 000013